(57)【要約】【目的】  本発明の目的は、ラックの柱体又は板体の端部への取り付け及び配線の出し入れが容易である安価な着脱式配線ダクトを提供する。【構成】  ラック１０の複数の支柱１１ａ、１１ａ’・・・が組み合わせて構成された板体１１の端部を保持可能な略逆凹字状の保持部１００と、この保持部１００に設けられた片持ち略逆凹字状の部材であり且つＯＡ機器等の電子機器( 図示しない) の配線２０を収容する収容部２００とを備えた長尺状の樹脂成形品であって、収容部２００の先端部２２０は保持部１００に対向しており、この先端部２２０と保持部１００との間から配線２０が出し入れ可能になっている。【選択図】      図１
2006238594.tif 000002
【特許請求の範囲】
【請求項１】
ラックや机の柱体又は板体の端部を保持可能な樹脂製の略逆凹字状の保持部と、この保持部に設けられた樹脂製の片持ち略逆凹字状の部材であり且つＯＡ機器等の電子機器の配線を収容する収容部とを備えており、この収容部の先端部は保持部に対向しており、この先端部と保持部との間から配線が出し入れ可能になっていることを特徴とする着脱式配線ダクト。
【請求項２】
ラックや机の柱体又は板体の端部を保持可能な樹脂製の略逆凹字状の保持部と、保持部に設けられており且つＯＡ機器等の電子機器の配線を収容する樹脂製の収容部とを備えており、この収容部は、先端部が互いに対向するように湾曲した第１、第２の片部材を有し、この第１、第２の片部材の先端部の間から配線が出し入れ可能になっていることを特徴とする着脱式配線ダクト。
【請求項３】
前記板体が複数の支柱を組み合わせた構成である請求項１又は２記載の着脱式配線ダクトにおいて、保持部の幅方向の両端部のうち一方の端部は支柱が嵌合可能であり且つ他方の端部に向けて湾曲した半円弧状の弾性片であり、他方の端部は前記支柱に対向する支柱を係止可能な略レ字状に屈曲した弾性片であることを特徴とする着脱式配線ダクト。
【請求項４】
保持部が円柱状の柱体を保持する請求項１又は２記載の着脱式配線ダクトにおいて、保持部は、略円弧状に湾曲しており且つ前記柱体が嵌合可能な弾性片であることを特徴とする着脱式配線ダクト。
【請求項５】
前記板体が複数の支柱を組み合わせた構成である請求項１又は２記載の着脱式配線ダクトにおいて、保持部の幅方向の両端部は、互いに対向する方向に湾曲しており且つ板体の支柱が各々嵌合可能な半円弧状に弾性片であることを特徴とする着脱式配線ダクト。
【請求項６】
請求項１記載の着脱式配線ダクトにおいて、収容部は、長さ方向の一端から他端にかけて直線状の切れ込みが入れられており、先端部が保持部から離れたり近づいたりするようになっていることを特徴とする着脱式配線ダクト。
【請求項７】
請求項６記載の着脱式配線ダクトにおいて、収容部の先端部と保持部の対向部には、互いに係合するための係合手段が設けられていることを特徴とする着脱式配線ダクト。
【請求項８】
請求項２記載の着脱式配線ダクトにおいて、収容部の第１、第２の片部材の先端部同士が重なっていることを特徴とする着脱式配線ダクト。
【発明の詳細な説明】
【技術分野】
【０００１】
本発明は、ＯＡ機器等の電子機器の配線が入れられる収容部を有し、ラックの柱体又は板体の端部に着脱可能に取り付けられる着脱式配線ダクトに関する。
【背景技術】
【０００２】
この種の着脱式配線ダクトとしては、前記収容部と、この収容部の蓋体と、収容部をラックの円柱状の柱体に取り付けるための複数の取付具とを備え、この取付具は柱体が嵌合する略Ｕ字状の部材であって、一対の先端部に収容部を係止する係止片が各々設けられたものがある。
【０００３】
【特許文献１】特開２００４−１６５５０３号公報
【発明の開示】
【発明が解決しようとする課題】
【０００４】
しかしながら、前記着脱式配線ダクトは、柱体が嵌合した状態で複数の取付具の幅方向の両端部に設けられた係止片を収容部に各々係止させなければならないことから、取り付けが面倒であるという欠点を有している。しかも、蓋体を外して配線を入れなければならないことから、配線の出し入れが面倒であるという欠点も有している。更に、収容部、蓋体及び取付具が各々別部材であることから、部品点数が増加し低コスト化を図ることが困難であるという欠点も有している。
【０００５】
本発明は、上記事情に鑑みて創案されたものであって、その目的とするところは、ラックの柱体又は板体の端部への取り付け及び配線の出し入れが容易である安価な着脱式配線ダクトを提供することにある。
【課題を解決するための手段】
【０００６】
上記課題を解決するために、本発明の着脱式配線ダクトは、ラックや机の柱体又は板体の端部を保持可能な樹脂製の略逆凹字状の保持部と、この保持部に設けられた樹脂製の片持ち略逆凹字状の部材であり且つＯＡ機器等の電子機器の配線を収容する収容部とを備えており、この収容部の先端部は保持部に対向しており、この先端部と保持部との間から配線が出し入れ可能になっていることを特徴としている。
【０００７】
本発明の別の着脱式配線ダクトは、ラックや机の柱体又は板体の端部を保持可能な樹脂製の略逆凹字状の保持部と、保持部に設けられており且つＯＡ機器等の電子機器の配線を収容する樹脂製の収容部とを備えており、この収容部は、先端部が互いに対向するように湾曲した第１、第２の片部材を有し、この第１、第２の片部材の先端部の間から配線が出し入れ可能になっていることを特徴としている。
【０００８】
前記板体が複数の支柱を組み合わせた構成である場合、保持部の幅方向の両端部のうち一方の端部は支柱が嵌合可能であり且つ他方の端部に向けて湾曲した半円弧状の弾性片とし、他方の端部は前記支柱に対向する支柱を係止可能な略レ字状に屈曲した弾性片とすることができる。或いは、保持部の幅方向の両端部は、互いに対向する方向に湾曲しており且つ板体の支柱が各々嵌合可能な半円弧状に弾性片とすることができる。
【０００９】
保持部が円柱状の柱体を保持する場合、保持部は略円弧状に湾曲しており且つ前記柱体が嵌合可能な弾性片であることが好ましい。
【００１０】
収容部は、長さ方向の一端から他端にかけて直線状の切れ込みが入れられており、先端部が保持部から離れたり近づいたりするような構成とすることができる。
【００１１】
この収容部の先端部と保持部の対向部には、互いに係合するための係合手段が設けられていることが好ましい。
【００１２】
収容部は、第１、第２の片部材の先端部同士が重なった構成とすることができる。
【発明の効果】
【００１３】
本発明の請求項１に係る着脱式配線ダクトによる場合、樹脂製の略逆凹字状の保持部がラックや机の柱体又は板体の端部を保持するようになっているので、容易にラックや机に取り付けることができる。しかも、ＯＡ機器等の電子機器の配線を収容する収容部が樹脂製の片持ち略逆凹字状の部材であり、その先端部が保持部に対向している。この先端部と保持部との間から配線が出し入れ可能になることから、容易に配線の出し入れを行うことができる。
【００１４】
本発明の請求項２に係る着脱式配線ダクトによる場合、樹脂製の略逆凹字状の保持部がラックや机の柱体又は板体の端部を保持するようになっているので、簡単にラックや机に取り付けることができる。しかも、ＯＡ機器等の電子機器の配線を収容する収容部は第１、第２の片部材を有しており、この第１、第２の片部材の先端部が互いに対向するように湾曲している。よって、前記第１、第２の片部材の先端部の間から配線が出し入れ可能になることから、容易に配線の出し入れを行うことができる。
【００１５】
本発明の請求項３に係る着脱式配線ダクトによる場合、保持部の幅方向の一方の端部が他方の端部に向けて湾曲した半円弧状の弾性片である一方、他方の端部が略レ字状に屈曲した弾性片である。よって、一方の端部に板体を構成する支柱を嵌合させ、他方の端部に当該板体の前記支柱に対向する支柱を係止させるようにするだけで、取り付けることができるので、複数の支柱が組み合わされた板体への取り付けが非常に容易になる。
【００１６】
本発明の請求項４に係る着脱式配線ダクトによる場合、保持部が略円弧状に湾曲しており且つ円柱状の柱体が嵌合する弾性片となっている。このため、保持部に柱体を嵌合させるだけで取り付けることができるので、柱体への取り付けが非常に容易になる。
【００１７】
本発明の請求項５に係る着脱式配線ダクトによる場合、保持部の幅方向の両端部が互いに対向する方向に湾曲しており且つ板体を構成する支柱が各々嵌合する半円弧状に弾性片となっている。このため、保持部の両端部に支柱を各々嵌合させるだけで取り付けることができるので、複数の支柱が組み合わされた板体への取り付けが非常に容易になる。
【００１８】
本発明の請求項６に係る着脱式配線ダクトによる場合、収容部は、長さ方向の一端から他端にかけて直線状の切れ込みが入れられており、先端部が保持部から離れたり近づいたりするようになっている。よって、収容部の先端部を保持部から離れる方向に開くだけで、配線を出し入れすることができるので、配線の出し入れが非常に容易になる。
【００１９】
本発明の請求項７に係る着脱式配線ダクトによる場合、収容部の先端部と保持部の対向部には、互いに係合するための係合手段が設けられている。前記係合手段により収容部の先端部が保持部に対向した状態( 即ち、閉じた状態) が維持されるので、収容部の先端部と保持部との間の隙間から塵や埃が侵入するのを防止することができる。
【００２０】
本発明の請求項８に係る着脱式配線ダクトによる場合、収容部の第１、第２の片部材の先端部同士が重なっている。このため、第１、第２の片部材の先端部の間の隙間から塵や埃が侵入するのを防止することができる。
【発明を実施するための最良の形態】
【００２１】
以下、本発明の実施の形態に係る着脱式配線ダクトについて説明する。
【実施例１】
【００２２】
まず、本発明の第１の実施の形態に係る着脱式配線ダクトについて図面を参照しながら説明する。図１は本発明の第１の実施の形態に係る着脱式配線ダクトの正面図であって、( ａ) が取付前の状態を示す図、( ｂ）が取付後であり且つ収容部が開いた状態を示す図、( ｃ）が取付後であり且つ収容部が閉じた状態を示す図、図２は図１の( ｂ）に示すダクトを示す図であって、( ａ) が右側面図、( ｂ）が左側面図、図３は図１の( ｂ）に示すダクトを示す図であって、( ａ) が平面図、( ｂ）が底面図、図４は同ダクトの切れ込みを示す図１のα部分の拡大図、図５は同ダクトの係合手段を示す図であって、( ａ) が図１のβ部分の拡大図、( ｂ）が図１のγ部分の拡大図、図６はラックの概略的斜視図である。
【００２３】
図１、図２及び図３に示す着脱式配線ダクトＡは、ラック１０の複数の支柱１１ａ、１１ａ’・・・が組み合わせて構成された板体１１の端部を保持可能な略逆凹字状の保持部１００と、この保持部１００に設けられた片持ち略逆凹字状の部材であり且つＯＡ機器等の電子機器( 図示しない) の配線２０を収容する収容部２００とを備えた長尺状の樹脂成形品である。以下、各部を詳しく説明する。
【００２４】
ラック１０は、図６に示すように、複数の支柱１１ａ、１１ａ’・・・が組み合わせて構成された板体１１と、この板体１１を支持する円柱状の柱体１２とを有している。
【００２５】
収容部２００は、基端部２１０の内面に長さ方向の一端から他端にかけて直線状の切れ込み２１１( 図４参照) が入れられており、これにより先端部２２０が保持部１００の外面から離れたり近づいたりするようになっている。この収容部２００の先端部２２０は内側に向けて折り曲げられており、この折り曲げ部分が、図１及び図５に示すように、保持部の係合片１３０と係合する係合片２２１( 係合手段) となる。
【００２６】
保持部１００は、幅方向の両端部のうち一方の端部１１０が他方の端部１２０( 即ち、内側) に向けて湾曲した半円弧状の弾性片となっている。この一方の端部１１０に板体１１の端部を構成する支柱１１ａが嵌合する。他方の端部１２０は一方の端部１１０( 内側) に向けて略レ字状に屈曲した弾性片となっており、その先端部１２１が当該他方の端部１２０に向けて湾曲している。この他方の端部１２０の基端部１２２の内面には、長さ方向の一端から他端にかけて直線状の切れ込み１２２ａ( 図４参照) が入れられており、この切れ込み１２２ａにより他方の端部１２０が内側に向けて弾性変形し易くなっている。また、他方の端部１２０の先端部１２１が支柱１１ａに対向する支柱１１ａ’を保持部１００の内面との間で係止するようになっている。
【００２７】
また、保持部１００の外面の収容部２００の先端部２２０に対向する部分には、図１及び図５に示すように、先端部２２０の係合片２２１と係合する係合片１３０( 係合手段) が設けられている。このように先端部２２０の係合片２２１と保持部１００の係合片１３０を係合させることにより先端部２２０が保持部１００の外面に当接した状態が維持されるので、先端部２２０と保持部１００との間の隙間から塵や埃が侵入するのを防止することができる。
【００２８】
以下、着脱式配線ダクトＡのラック１０の板体１１の端部への取付方法について説明すると共に、保持部１００の動作について説明する。まず、図１( ａ) に示すように、保持部１００の一方の端部１１０にラック１０の板体１１の端部の支柱１１ａを嵌合させる。そして、保持部１００の他方の端部１２０をラック１０の板体１１の端部の支柱１１ａ’に押し当てる。すると、他方の端部１２０が内側に向けて弾性変形して支柱１１ａ’を乗り越える。これにより支柱１１ａ’が当該他方の端部１２０の先端部１２１と保持部１００の内面との間に嵌まり込んで係止される。このようにしてラック１０の板体１１の端部に取り付けられる。
【００２９】
次に、着脱式配線ダクトＡの配線２０の出し入れの方法について説明すると共に、収容部２００の動作について説明する。まず、図１( ｂ) に示すように、収容部２００の先端部２２０が保持部１００から離れた状態にある。この収容部２００の先端部２２０と保持部１００との間の隙間から配線２０を入れる。その後、収容部２００を把持して当該収容部２００の先端部２２０を保持部１００に近づける方向に移動させる。そして、収容部２００の先端部２２０の係合片２２１と保持部１００の係合片１３０とを係合させる。これにより、配線２０が収容部２００内に収容される。
【００３０】
この配線２０を収容部２００から取り出すときには、係合片２２１と係合片１３０との係合を外し、保持部１００を把持してその先端部２２０が保持部１００から離れる方向に移動させる。そして、収容部２００の先端部２２０と保持部１００との間の隙間から配線２０を取り出す。
【００３１】
このような着脱式配線ダクトＡによる場合、保持部１００の一方の端部１１０に支柱１１ａを嵌合させ、他方の端部１２０を支柱１１ａ’に押し上げるだけで、ラック１０の板体１１の端部に取り付けることができる。このため、ラック１０への取付が非常に容易になる。しかも、収容部２００の先端部２２０を保持部１００から近づけたり離したりするだけで、配線２０の出し入れができることから、配線２０の出し入れが非常に容易になる。
【実施例２】
【００３２】
次に、本発明の第２の実施の形態に係る着脱式配線ダクトについて図面を参照しながら説明する。図７は本発明の第２の実施の形態に係る着脱式配線ダクトの正面図、図８は同ダクトを示す図であって、( ａ) が右側面図、( ｂ）が左側面図、図９は同ダクトを示す図であって、( ａ) が平面図、( ｂ）が底面図である。
【００３３】
図７、図８及び図９に示す着脱式配線ダクトＢは、ラック１０の円柱状の柱体１２( 図６参照) を保持可能な略逆凹字状の保持部３００と、この保持部３００に設けられた片持ち略逆凹字状の部材であり且つＯＡ機器等の電子機器( 図示しない) の配線２０を収容する収容部４００とを備えた長尺状の樹脂成形品である。以下、各部を詳しく説明する。
【００３４】
保持部３００は、略円弧状に湾曲した弾性片である。この保持部３００は、先端部３１０、３２０の間から柱体１２が押し入れられることにより柱体１２を保持するようになっている。
【００３５】
収容部４００は、先端部４１０が保持部３００の外面に対向するように略円弧状に湾曲した弾性片である。
【００３６】
以下、着脱式配線ダクトＢの柱体１２への取付方法について説明すると共に、保持部３００の動作について説明する。まず、保持部３００の先端部３１０、３２０の間に柱体１２を押しつける。すると、保持部３００が弾性変形し、先端部３１０、３２０が外側に開いて柱体１２が保持部３００内に入れられる。柱体１２が保持部３００内に入ると、先端部３１０、３２０が閉じ、これにより柱体１２が保持部３００に嵌合される。このようにして柱体１２が保持部３００に保持される。
【００３７】
次に、着脱式配線ダクトＢの配線２０の出し入れの方法について説明すると共に、収容部４００の動作について説明する。まず、配線２０を収容部４００の先端部４１０に押し当てる。すると、収容部４００の先端部４１０が内側に弾性変形し、これにより保持部３００の外面との間の隙間が広がる。この隙間から配線２０が収容部４００内に入れられる。
【００３８】
この配線２０を収容部４００から取り出すときには、配線２０を収容部４００の先端部４１０に押し当てる。すると、収容部４００の先端部４１０が外側に弾性変形し、これにより保持部３００の外面との間の隙間が広がる。この隙間から配線２０が取り出される。
【００３９】
このような着脱式配線ダクトＢによる場合、保持部３００の先端部３１０、３２０の間に柱体１２を押しつけるだけで、ラック１０の柱体１２に取り付けることができる。このため、ラック１０への取付が非常に容易になる。しかも、収容部４００の先端部４１０に配線２０を押しつけるだけで、配線２０の出し入れができることから、配線２０の出し入れも非常に容易になる。
【実施例３】
【００４０】
次に、本発明の第３の実施の形態に係る着脱式配線ダクトについて図面を参照しながら説明する。図１０は本発明の第３の実施の形態に係る着脱式配線ダクトの正面図、図１１は同ダクトの右側面図、図１２は同ダクトを示す図であって、( ａ) が平面図、( ｂ）が底面図である。
【００４１】
図１０、図１１及び図１３に示す着脱式配線ダクトＣは、ラック１０の円柱状の柱体１２( 図６参照) を保持可能な略逆凹字状の保持部５００と、保持部５００に設けられており且つＯＡ機器等の電子機器( 図示しない) の配線２０を収容する収容部６００とを備えた長尺状の樹脂成形品である。以下、各部を詳しく説明する。
【００４２】
保持部５００は、略円弧状に湾曲した弾性片である。この保持部５００は、先端部５１０、５２０の間から柱体１２が押し入れられることにより柱体１２を保持するようになっている。
【００４３】
収容部６００は、先端部６１１、６２１が互いに対向するように湾曲した弾性を有する略逆し字状の第１、第２の片部材６１０、６２０を有する。この第１、第２の片部材６１０、６２０の先端部６１１、６２１の間から配線２０が出し入れ可能になっている。          
【００４４】
以下、着脱式配線ダクトＣの柱体１２への取付方法について説明すると共に、保持部５００の動作について説明する。まず、保持部５００の先端部５１０、５２０の間に柱体１２を押しつける。すると、保持部５００が弾性変形し、先端部５１０、５２０が外側に開いて柱体１２が保持部５００内に入れられる。柱体１２が保持部５００内に入ると、先端部５１０、５２０が閉じ、これにより柱体１２が保持部５００に嵌合される。このようにして柱体１２が保持部５００に保持される。
【００４５】
次に、着脱式配線ダクトＣの配線２０の出し入れの方法について説明すると共に、収容部６００の動作について説明する。まず、配線２０を収容部６００の第１、第２の片部材６１０、６２０の先端部６１１、６２１の間に押し当てる。すると、第１、第２の片部材６１０、６２０の先端部６１１、６２１が内側に弾性変形し、これにより第１、第２の片部材６１０、６２０の先端部６１１、６２１の間の隙間が広がる。この隙間から配線２０が収容部６００内に入れられる。
【００４６】
この配線２０を収容部６００から取り出すときには、配線２０を収容部６００の第１、第２の片部材６１０、６２０の先端部６１１、６２１の間に押し当てる。すると、第１、第２の片部材６１０、６２０の先端部６１１、６２１が外側に弾性変形し、これにより第１、第２の片部材６１０、６２０の先端部６１１、６２１の間の隙間が広がる。この隙間から配線２０が取り出される。
【００４７】
このような着脱式配線ダクトＣによる場合、保持部５００の先端部５１０、５２０の間に柱体１２を押しつけるだけで、ラック１０の柱体１２に取り付けることができる。このため、ラック１０への取付が非常に容易になる。しかも、配線２０を収容部６００の第１、第２の片部材６１０、６２０の先端部６１１、６２１の間に押し当てるだけで、配線２０の出し入れができることから、配線２０の出し入れも非常に容易になる。
【実施例４】
【００４８】
次に、本発明の第４の実施の形態に係る着脱式配線ダクトについて図面を参照しながら説明する。図１３は本発明の第４の実施の形態に係る着脱式配線ダクトの正面図、図１４は同ダクトを示す図であって、( ａ) が右側面図、( ｂ）が左側面図、図１５は同ダクトを示す図であって、( ａ) が平面図、( ｂ）が底面図、図１６は同ダクトを取付具を使用してラックの柱体に取り付けた状態を示す正面図である。
【００４９】
図１３、図１４及び図１５に示す着脱式配線ダクトＤは、ラック１０( 図６参照) の複数の支柱１１ａ、１１ａ’・・・が組み合わせて構成された板体１１の端部を保持可能な略逆凹字状の保持部７００と、保持部７００に設けられており且つＯＡ機器等の電子機器( 図示しない) の配線２０を収容する収容部８００とを備えた長尺状の樹脂成形品である。以下、各部を詳しく説明する。
【００５０】
保持部７００は、幅方向の一方の端部７１０及び他方の端部７２０が半円弧状に湾曲した弾性片となっている。この保持部７００の幅方向の一方の端部７１０及び他方の端部７２０に板体１１の端部を構成する支柱１１ａ、１１ａ’が各々嵌合する。
【００５１】
収容部８００は、略２／３円弧状の第１の片部材８１０と、略１／３円弧状の第２の片部材８２０とを有している。この第１の片部材８１０と第２の片部材８２０とは、先端部８１１の内面と先端部８２１の外面が対向するように湾曲している。即ち、第１の片部材８１０の先端部８１１と第２の片部材８２０の先端部８２１とが重なっている。
【００５２】
以下、着脱式配線ダクトＤのラック１０の板体１１の端部への取付方法について説明すると共に、保持部７００の動作について説明する。まず、保持部７００の一方の端部７１０にラック１０の板体１１の端部の支柱１１ａを嵌合させる。そして、保持部７００の他方の端部７２０をラック１０の板体１１の端部の支柱１１ａ’に押し当てる。すると、他方の端部７２０が弾性変形して支柱１１ａ’を乗り越える。これにより支柱１１ａ’が他方の端部７２０に嵌合する。このようにしてラック１０の板体１１の端部に取り付けられる。
【００５３】
この着脱式配線ダクトＤはラック１０の板体１１の端部に取り付けるものであるが、図１６に示す取付具９００を用いることによりラック１０の柱体１２にも取り付けることが可能である。
【００５４】
この取付具９００は、長尺状の樹脂成形品であって、柱体１２が嵌合する略Ｕ字状の取付具本体９１０と、この取付具本体９１０の幅方向の端部に各々連続しており且つ略３／４円弧状に湾曲した嵌合部９２１、９２２とを有した構成となっている。嵌合部９２１、９２２は保持部７００の一方の端部７１０、他方の端部７２０にそれぞれ嵌合する。即ち、取付具本体９１０に柱体１２を嵌合させた状態で、保持部７００の一方の端部７１０、他方の端部７２０を嵌合部９２１、９２２にそれぞれ押し当てて嵌合させる。これにより、柱体１２にも取付が可能になる。
【００５５】
次に、着脱式配線ダクトＤの配線２０の出し入れの方法について説明すると共に、収容部８００の動作について説明する。まず、配線２０を収容部８００の第２の片部材８２０の先端部８２１に押し当てる。すると、第２の片部材８２０の先端部８２１が内側に弾性変形する。これにより第１、第２の片部材８１０、８２０の先端部８１１、８２１の間の隙間が広がる。この隙間から配線２０が収容部８００内に入れられる。
【００５６】
この配線２０を収容部８００から取り出すときには、配線２０を収容部８００の第１の片部材８１０の先端部８１１に押し当てる。すると、第１の片部材８１０の先端部８１１が外側に弾性変形する。これにより第１、第２の片部材８１０、８２０の先端部８１１、８２１の間の隙間が広がる。この隙間から配線２０が取り出される。
【００５７】
このような着脱式配線ダクトＤによる場合、保持部７００の一方の端部７１０にラック１０の板体１１の端部の支柱１１ａを嵌合させ、他方の端部７２０をラック１０の板体１１の端部の支柱１１ａ’に押し当てるだけで、ラック１０の柱体１２に取り付けることができる。このため、ラック１０への取付が非常に容易になる。しかも、配線２０を収容部８００の第１、第２の片部材８１０、８２０の先端部８１１、８２１の間に押し当てるだけで、配線２０の出し入れができることから、配線２０の出し入れも非常に容易になる。      
【００５８】
なお、保持部については、ラックや机の柱体又は板体の端部を保持可能な樹脂製の略逆凹字状の部材である限りどのような形状のものをを用いてもかまわない。
【００５９】
収容部については、片持ち略逆凹字状の部材であって、その先端部が保持部に対向しており、この先端部と保持部との間から配線が出し入れ可能になっているもの又は先端部が互いに対向するように湾曲した第１、第２の片部材を有し、この第１、第２の片部材の先端部の間から配線が出し入れ可能になっているものである限りどのようなものを用いても良い。
【００６０】
従って、上述した実施例の保持部と収容部とは、任意に組み合わせることが可能であることは言う迄もない。取付具９００は、保持部７００だけでなく、保持部１００にも用いることが一応可能である。
【００６１】
また、収容部２００の先端部２２０と保持部１００対向部には、互いに係合する係合片２２１、係合片１３０が設けられているとしたが、設けるか否か任意である。勿論、他の係合手段を用いることも可能である。この係合手段は、収容部４００の先端部４１０と保持部３００の対向部とにも設けることも可能である。また、収容部６００の第１、第２の片部材６１０、６２０の先端部６１１、６２１及び収容部８００の第１、第２の片部材８１０、８２０の先端部８１１、８２１に互いに係合する係合手段を設けることも当然可能である。
【００６２】
なお、上記着脱式配線ダクトは、ラック１０だけに取り付けるものではなく、その他のラック、本棚や机等の柱体又は板体の端部に取り付けることが可能であることは言う迄もない。
【図面の簡単な説明】
【００６３】
【図１】本発明の第１の実施の形態に係る着脱式配線ダクトの正面図であって、( ａ) が取付前の状態を示す図、( ｂ）が取付後であり且つ収容部が開いた状態を示す図、( ｃ）が取付後であり且つ収容部が閉じた状態を示す図である。
【図２】図１( ｂ）に示すダクトを示す図であって、( ａ) が右側面図、( ｂ）が左側面図である。
【図３】図１( ｂ）に示すダクトを示す図であって、( ａ) が平面図、( ｂ）が底面図である。
【図４】同ダクトの切れ込みを示す図１のα部分の拡大図である。
【図５】同ダクトの係合手段を示す図であって、( ａ) が図１のβ部分の拡大図、( ｂ）が図１のγ部分の拡大図である。
【図６】ラックの概略的斜視図である。
【図７】本発明の第２の実施の形態に係る着脱式配線ダクトの正面図である。
【図８】同ダクトを示す図であって、( ａ) が右側面図、( ｂ）が左側面図である。
【図９】同ダクトを示す図であって、( ａ) が平面図、( ｂ）が底面図である。
【図１０】本発明の第３の実施の形態に係る着脱式配線ダクトの正面図である。
【図１１】同ダクトの右側面図である。
【図１２】同ダクトを示す図であって、( ａ) が平面図、( ｂ）が底面図である。
【図１３】本発明の第４の実施の形態に係る着脱式配線ダクトの正面図である。
【図１４】同ダクトを示す図であって、( ａ) が右側面図、( ｂ）が左側面図である。
【図１５】同ダクトを示す図であって、( ａ) が平面図、( ｂ）が底面図である。
【図１６】同ダクトを取付具を使用してラックの柱体に取り付けた状態を示す正面図である。
【符号の説明】
【００６４】
１０  ラック
１１  板体
１１ａ、１１ａ’  支柱
１２  柱体
２０  配線
１００、３００、５００、７００  保持部
２００、４００、６００、９００  収容部
【図１】
2006238594.tif 000003
【図２】
2006238594.tif 000004
【図３】
2006238594.tif 000005
【図４】
2006238594.tif 000006
【図５】
2006238594.tif 000007
【図６】
2006238594.tif 000008
【図７】
2006238594.tif 000009
【図８】
2006238594.tif 000010
【図９】
2006238594.tif 000011
【図１０】
2006238594.tif 000012
【図１１】
2006238594.tif 000013
【図１２】
2006238594.tif 000014
【図１３】
2006238594.tif 000015
【図１４】
2006238594.tif 000016
【図１５】
2006238594.tif 000017
【図１６】
2006238594.tif 000018